(57)【要約】【課題】  バッテリーポスト取り付けに係る信頼性を高めることが可能であるとともに、防食カバーに係る作業性を向上させることが可能なバッテリーターミナルを提供する。【解決手段】  防食カバー３を合成樹脂材により成形する。また、防食カバー３を、バッテリーポスト挿入穴を有する基板部２９と、基板部２９の後端に連成され電線接続部９に引っ掛かる第一フック部３０、３０と、基板部２９の前端に連成され、第一フック部３０、３０が電線接続部９に引っ掛かった状態で締め付け部６、６の曲面４０、４０への引っ掛けが可能なＵ字状の弾性を有する第二フック部３１とを有するように形成する。【選択図】    図２
2005093393.tif 000002
【特許請求の範囲】
【請求項１】
バッテリーポストに取り付けられるバッテリーターミナル本体と、該バッテリーターミナル本体及びバッテリー間に位置し前記バッテリーターミナル本体の腐食を防止する防食カバーと、を備えて構成されるバッテリーターミナルであって、前記バッテリーターミナル本体が、Ｕ字状の曲面を有する一対の締め付け部と、バッテリーポスト挿入穴を有し前記一対の締め付け部に連成される環状部と、該環状部に連成される電線接続部と、を備えて構成されるバッテリーターミナルにおいて、
前記防食カバーは合成樹脂材により成形され、且つ、バッテリーポスト挿入穴を有する基板部と、該基板部の後端に連成され前記電線接続部に引っ掛かる第一フック部と、前記基板部の前端に連成され、前記第一フック部が前記電線接続部に引っ掛かった状態で前記曲面への引っ掛けが可能なＵ字状の弾性を有する第二フック部と、を有するように形成される
ことを特徴とするバッテリーターミナル。
【請求項２】
請求項１に記載のバッテリーターミナルにおいて、
前記第二フック部は、その先端となる自由端部の、前記バッテリーターミナル本体に対して一番最初に当接する部分が前記曲面となるように形成される
ことを特徴とするバッテリーターミナル。
【請求項３】
請求項２に記載のバッテリーターミナルにおいて、
前記自由端部は、Ｒ形状に形成される
ことを特徴とするバッテリーターミナル。
【請求項４】
請求項１ないし請求項３いずれか記載のバッテリーターミナルにおいて、
前記第二フック部の中心位置は、前記曲面の中心位置よりも前記バッテリー側となるように形成される
ことを特徴とするバッテリーターミナル。
【請求項５】
請求項１ないし請求項４いずれか記載のバッテリーターミナルにおいて、
前記基板部の左右両端には、前記バッテリーターミナル本体とのズレを規制するズレ止め部が形成される
ことを特徴とするバッテリーターミナル。
【請求項６】
請求項５に記載のバッテリーターミナルにおいて、
前記ズレ止め部には、前記左右方向に平行な面を有し前記バッテリーターミナル本体に差し込まれるリブが形成される
ことを特徴とするバッテリーターミナル。
【発明の詳細な説明】
【技術分野】
【０００１】
本発明は、バッテリーポストに取り付けられるバッテリーターミナル本体と、そのバッテリーターミナル本体の腐食を防止する防食カバーと、を備えて構成されるバッテリーターミナルに関する。
【背景技術】
【０００２】
バッテリーターミナル本体と防食カバーとを備えて構成される従来のバッテリーターミナルとしては、下記特許文献１に開示されたものが知られている。
【０００３】
図１１において、バッテリーターミナル本体１４１は、上下方向に配置される一対の環状部１４５ａ、１４５ｂを有している。その環状部１４５ａ、１４５ｂには、バッテリーポスト１０３を内側に挿入するバッテリーポスト挿入穴１４７が各々形成されている。環状部１４５ａ、１４５ｂは、バッテリーポスト挿入穴１４７の円周方向の一箇所が分断されて形成された締め付け間隙１４９を有しており、その部分によって開放されている。
【０００４】
環状部１４５ａ、１４５ｂは、締め付け間隙１４９側で一対の締め付け部１５５、１５５により上下が連結されている。また、締め付け間隙１４９の反対側では、接合板１５１ａ、１５１ｂ同士が重ね合わせられて電線接続部が形成されている。接合板１５１ａには、端子固定ボルト１５３が立設されている。
【０００５】
上下の環状部１４５ａ、１４５ｂを連結する一対の締め付け部１５５、１５５には、左右方向の貫通穴１５７が各々形成されている。その貫通穴１５７には、締め付け間隙１４９を横断する締め付けボルト１５９が挿入されている。
【０００６】
尚、貫通穴１５７を貫通した締め付けボルト１５９は、先端に螺合するナット１６１と共働して、締め付け間隙１４９の両側の一対の締め付け部１５５、１５５を互いに近接する方向に締め付けられるようになっている。そして、その締め付けが生じると、環状部１４５ａ、１４５ｂのバッテリーポスト挿入穴１４７は縮径するようになっている。
【０００７】
防食カバー１６３は、バッテリーターミナル本体１４１及びバッテリー間に配設されている。また、防食カバー１６３は、底板部１６５を有しており、その底板部１６５の周囲には、環状部１４５ａ、１４５ｂ、及び電線接続部の側面を包囲する壁部１６７が形成されている。底板部１６５の中央には、バッテリーポスト１０３を挿入するための穴１６９が穿設されている。
【０００８】
このような底板部１６５の一端には、締め付け間隙１４９に挿入される挟入部１７１が立設されている。挟入部１７１には、締め付けボルト１５９が挿通される貫通孔１７３が穿設されている。挟入部１７１は、その両面が先端に向けて先細りするテーパ形状に形成されている。
【０００９】
上記構成において、防食カバー１６３の挟入部１７１が環状部１４５ａ、１４５ｂの締め付け間隙１４９に挿入される。防食カバー１６３とバッテリーターミナル本体１４１は一体に組み合わされ、穴１６９及びバッテリーポスト挿入穴１４７にはバッテリーポスト１０３が挿入される。
【００１０】
一対の締め付け部１５５、１５５及び挟入部１７１に締め付けボルト１５９が挿通され、ナット１６１が螺合して締め付けが行われると、一対の締め付け部１５５、１５５が互いに近接し、環状部１４５ａ、１４５ｂがバッテリーポスト１０３の外周面に密接する。テーパ形状のバッテリーポスト１０３に密接した環状部１４５ａ、１４５ｂは、図１２に示される如く、バッテリーポスト１０３のテーパに沿って変形し、これに伴って一対の締め付け部１５５、１５５の対向面１５５ａ、１５５ａ同士がハの字状に傾斜する。その結果、対向面１５５ａ、１５５ａは挟入部１７１の両面と平行になり、さらにナット１６１を締め付けると、対向面１５５ａ、１５５ａは平行移動して近接し、挟入部１７１の両面に平行に当接する。
【特許文献１】特開平１０−１２２１４号公報  （第３−４頁、第１−４図）
【発明の開示】
【発明が解決しようとする課題】
【００１１】
ところで、バッテリーターミナルは、一度バッテリーポスト１０３に取り付けられるとその後は取り外されることがない、というものではないことから、次のような問題点を有している。すなわち、バッテリーポスト１０３から取り外されたバッテリーターミナルの一対の締め付け部１５５、１５５は、その機械的特性が若干低下することから、次にバッテリーポスト１０３に取り付ける時には、前回よりも強く締め付けなければならず、言い換えれば前回よりも一対の締め付け部１５５、１５５同士を近づけなければならず、その結果、取り付け取り外しを何度も繰り返すと、挿入された挟入部１７１が邪魔になることから、十分な締め付けがなされない状態でバッテリーポスト１０３への取り付けが完了してしまう恐れがある。又は、強い締め付けが作用して挟入部１７１の破損が生じてしまう恐れがある。
【００１２】
その他、上記従来技術にあっては、挟入部１７１に締め付けボルト１５９が挿通されるまで、防食カバー１６３とバッテリーターミナル本体１４１との一体状態が不安定であることから、作業性が悪いという問題点を有している。また、防食カバー１６３の交換等に関しても締め付けボルト１５９の抜き挿しがあることから、作業性が悪いという問題点を有している。
【００１３】
本発明は、上述した事情に鑑みてなされるもので、バッテリーポスト取り付けに係る信頼性を高めることが可能であるとともに、防食カバーに係る作業性を向上させることが可能なバッテリーターミナルを提供することを課題とする。
【課題を解決するための手段】
【００１４】
上記課題を解決するためなされた請求項１記載の本発明のバッテリーターミナルは、バッテリーポストに取り付けられるバッテリーターミナル本体と、該バッテリーターミナル本体及びバッテリー間に位置し前記バッテリーターミナル本体の腐食を防止する防食カバーと、を備えて構成されるバッテリーターミナルであって、前記バッテリーターミナル本体が、Ｕ字状の曲面を有する一対の締め付け部と、バッテリーポスト挿入穴を有し前記一対の締め付け部に連成される環状部と、該環状部に連成される電線接続部と、を備えて構成されるバッテリーターミナルにおいて、前記防食カバーは合成樹脂材により成形され、且つ、バッテリーポスト挿入穴を有する基板部と、該基板部の後端に連成され前記電線接続部に引っ掛かる第一フック部と、前記基板部の前端に連成され、前記第一フック部が前記電線接続部に引っ掛かった状態で前記曲面への引っ掛けが可能なＵ字状の弾性を有する第二フック部と、を有するように形成されることを特徴としている。
【００１５】
このような特徴を有する本発明によれば、第一及び第二のフック部を用いて防食カバーがバッテリーターミナル本体へ取り付けられる。一対の締め付け部を近接させるための締め付けボルトに関係なく、防食カバーはバッテリーターミナル本体に取り付けられる。一対の締め付け部の間に防食カバーの一部が差し込まれるような構造にならないことから、バッテリーターミナルの取り付け取り外しが繰り返されても、バッテリーポストへの取り付けが不完全になるようなことはない。すなわち、一対の締め付け部を近接させる際に障害となる物がないことから、バッテリーポストへの取り付けが不完全になるようなことはない。また、防食カバーは、上記構造にならないことから、締め付けの際に破損が生じるようなこともない。
【００１６】
請求項２記載の本発明のバッテリーターミナルは、請求項１に記載のバッテリーターミナルにおいて、前記第二フック部は、その先端となる自由端部の、前記バッテリーターミナル本体に対して一番最初に当接する部分が前記曲面となるように形成されることを特徴としている。このような特徴を有する本発明によれば、取り付けの際に第二フック部の自由端部が確実に曲面を滑って拡開する。そして、自由端部が曲面を乗り越えると、第二フック部の曲面への引っ掛けが完了する。一番最初に当接する部分が曲面であることから、自由端部の曲面に対する乗り越えが容易に行われる。
【００１７】
請求項３記載の本発明のバッテリーターミナルは、請求項２に記載のバッテリーターミナルにおいて、前記自由端部は、Ｒ形状に形成されることを特徴としている。このような特徴を有する本発明によれば、第二フック部の自由端部が曲面をスムーズに滑るようになる。
【００１８】
請求項４記載の本発明のバッテリーターミナルは、請求項１ないし請求項３いずれか記載のバッテリーターミナルにおいて、前記第二フック部の中心位置は、前記曲面の中心位置よりも前記バッテリー側となるように形成されることを特徴としている。このような特徴を有する本発明によれば、第二フック部が曲面に引っ掛かった際に、その第二フック部が基板部をバッテリーターミナル本体に対して密着する方向に引き寄せることが可能になる。不必要な間隙の発生防止や防食カバーのガタツキ防止、脱落防止に寄与する。尚、さらに第二フック部の中心位置を曲面の中心位置よりもバッテリーポスト側にすれば効果的になる。
【００１９】
請求項５記載の本発明のバッテリーターミナルは、請求項１ないし請求項４いずれか記載のバッテリーターミナルにおいて、前記基板部の左右両端には、前記バッテリーターミナル本体とのズレを規制するズレ止め部が形成されることを特徴としている。このような特徴を有する本発明によれば、バッテリーターミナル本体に取り付けられた後に、防食カバーの左右方向のズレが規制される。また、取り付け時においては、位置決めとして機能する。
【００２０】
請求項６記載の本発明のバッテリーターミナルは、請求項５に記載のバッテリーターミナルにおいて、前記ズレ止め部には、前記左右方向に平行な面を有し前記バッテリーターミナル本体に差し込まれるリブが形成されることを特徴としている。このような特徴を有する本発明によれば、第二フック部とリブとでバッテリーターミナル本体を挟み込むことが可能になる。リブに力を作用させることにより、基板部のバッテリー側への変形が防止され、防食カバーとバッテリーターミナル本体との密着状態が維持される。
【発明の効果】
【００２１】
請求項１に記載された本発明によれば、バッテリーポスト取り付けに係る信頼性を高めることができるという効果を奏する。また、防食カバーに係る作業性を向上させることができるという効果を奏する。
【００２２】
請求項２に記載された本発明によれば、自由端部の曲面に対する乗り越えを容易にして、第二フック部の曲面への引っ掛けを確実に行えるようにすることができるという効果を奏する。
【００２３】
請求項３に記載された本発明によれば、自由端部の曲面に対する乗り越えをより一層容易にすることができるという効果を奏する。
【００２４】
請求項４に記載された本発明によれば、防食カバーをバッテリーターミナル本体に対して密着させる方向に引き寄せることができるという効果を奏する。
【００２５】
請求項５に記載された本発明によれば、防食カバーの左右方向のズレを規制することができるという効果を奏する。また、取り付け時に位置決めとして機能させることができるという効果を奏する。
【００２６】
請求項６に記載された本発明によれば、バッテリーターミナル本体に対する保持力を向上させることができるという効果を奏する。
【発明を実施するための最良の形態】
【００２７】
以下、図面を参照しながら説明する。
図１及び図２は本発明のバッテリーターミナルの一実施の形態を示す斜視図である。また、図３及び図４はバッテリーターミナル本体の斜視図、図５及び図６は防食カバーの斜視図、図７は中心位置の違いについての説明図、図８〜図１０は取り付け工程の説明図である。
【００２８】
図１及び図２において、引用符号１は先端の直径が基端の直径よりも小さいテーパ状の周側面を有する既知のバッテリーポスト１０３（図１１参照。以下同様）に巻着するバッテリーターミナルを示している。そのバッテリーターミナル１は、特に限定するものではないが、自動車等の移動体に搭載されるバッテリー（不図示）に対して接続されるバッテリーターミナル本体２と、バッテリーターミナル本体２の腐食を防止する防食カバー３とを備えて構成されている。以下、各構成について詳細に説明する。
【００２９】
上記バッテリーターミナル本体２は、導電性を有する金属板をプレス加工することにより製造されている。本形態においては、Ｓｎメッキが施されている。バッテリーターミナル本体２は、一対の環状部４、５と、一対の締め付け部６、６と、一対の接合板７、８からなる電線接続部９とを有している。また、バッテリーターミナル本体２は、一対の接合板７、８によって保持される端子固定ボルト１０と、端子固定ボルト１０に螺合するナット（不図示）とを有している。さらに、バッテリーターミナル本体２は、後述する締め付けボルト１９と、は、締め付けボルト１９に螺合するナット２０とを有している。電線接続部９には、外部接続端子（不図示）が接続されるようになっている。
【００３０】
本明細書において、上記バッテリーポスト１０３の軸方向を上下方向とし、そのバッテリーポスト１０３の先端を上、基端を下と定義する。従って、環状部４が上、環状部５が下に配置されるものとする。また、同様に、接合板７が上、接合板８が下に配置されるものとする。
【００３１】
図１ないし図４において、環状部４は、平板状の上基板１１を有している。その上基板１１の略中央には、バッテリーポスト１０３を挿入するためのバッテリーポスト挿入穴１２が上下方向に貫通形成されている。また、上基板１１の左右両端部には、先端が下に向く係合部１３、１３がそれぞれ連成されている。
【００３２】
バッテリーポスト挿入穴１２は、バッテリーポスト１０３の周側面に接触する部分であって、先端が下に向くように上基板１１から折り曲げられて形成されている。また、バッテリーポスト挿入穴１２は、バッテリーポスト１０３の先端側の直径に合わせて環状に形成されている。さらに、バッテリーポスト挿入穴１２は、締め付け部６、６の間となる部分が分断された状態に形成されている。引用符号１４はバッテリーポスト挿入穴１２の一部分断された部分を示している。
【００３３】
環状部５は、平板状の下基板１５を有している。その下基板１５の略中央には、バッテリーポスト１０３を挿入するためのバッテリーポスト挿入穴１６が上下方向に貫通形成されている。また、下基板１５の左右両端部には、先端が上に向く係合部１７、１７がそれぞれ連成されている。係合部１７、１７は、環状部４の係合部１３、１３と対向するように配置されている。係合部１３、１３及び１７、１７は、環状部４、５の上下方向の間隔を保つために形成されている。
【００３４】
バッテリーポスト挿入穴１６は、バッテリーポスト１０３の周側面に接触する部分であって、先端が下に向くように下基板１５から折り曲げられて形成されている。また、バッテリーポスト挿入穴１６は、バッテリーポスト１０３の基端側の直径に合わせて環状に形成されている。さらに、バッテリーポスト挿入穴１６は、締め付け部６、６の間となる部分が分断された状態に形成されている。尚、バッテリーポスト挿入穴１６の一部分断された部分は、上記引用符号１４の部分の真下にこれと同様に形成されているものとする（同じ符号１４を用いる）。
【００３５】
締め付け部６、６は、上基板１１及び下基板１５を間隔をあけて上下に重なるようにこれらを連結する部分であって、前後方向にＵ字状に湾曲させて形成されている。すなわち、締め付け部６、６は、Ｕ字状の曲面を有しており、締め付け部６、６における上側の端部には、上基板１１の前端が連成されている（上側の一部分断された部分１４の左右両側に連成される）。また、締め付け部６、６における下側の端部には、下基板１５の前端が連成されている（下側の一部分断された部分１４の左右両側に連成される）。締め付け部６、６は、一部分断された部分１４、１４に連通する締め付け間隙１８を有して左右方向に並設されている。このような締め付け部６、６の内側には、ボルト挿通孔が形成されている。
【００３６】
締め付け部６、６のボルト挿通孔には、締め付け間隙１８を横断し貫通する締め付けボルト１９が挿入されている。その締め付けボルト１９は、先端に螺合するナット２０と共働して、締め付け間隙１８の両側の締め付け部６、６を互いに近接する方向に締め付けるようになっている（締め付けが生じると、バッテリーポスト挿入穴１２、１６が縮径する）。締め付けボルト１９の頭部は、係合部１３及び１７に当接して回り止めがなされるように形成されている。
【００３７】
接合板７は、上基板１１の後端に連成される接触板部２１と、その接触板部２１の左右方向の両端部に連成される下向きの側壁２２、２２と、側壁２２、２２に連成される内向きの下壁２３、２３とを有している。接触板部２１は、矩形状の平板であって、その中央には、端子固定ボルト１０に対するボルト挿通孔２４が貫通形成されている。
【００３８】
接合板８は、下基板１５の後端に連成される矩形平板部２５と、その矩形平板部２５の左右方向の両端部に連成される上向きの側壁２６、２６とを有している。矩形平板部２５の中心軸上には、端子固定ボルト１０の頭部２７の外形形状に合わせた頭部回転規制部２８が形成されている。その頭部回転規制部２８は、複数の片を起立させて形成されている。接合板８の側壁２６、２６は、接合板７の側壁２２、２２の内側となるように配置形成されている。接合板８の側壁２６、２６と頭部回転規制部２８との間には、後述する嵌合用スペース３８、３８が形成されている。
【００３９】
図１、図２、図５、及び図６において、上記防食カバー３は、バッテリーとバッテリーターミナル本体２との間に介在する部材であって、バッテリー液に対しての耐食性を持たせるために合成樹脂材により成形されている。防食カバー３は、本形態において、安価な材料でもあることから、ＰＰ（ポリプロピレン）により成形されている（この限りではないものとする）。防食カバー３は、基板部２９と第一フック部３０、３０と第二フック部３１とを有している。また、防食カバー３は、バッテリーターミナル本体２に対して嵌め合いのみで取り付けられるように形成されている。
【００４０】
基板部２９は、バッテリーターミナル本体２の環状部５及び接合板８に対面し密着する板状の部分として形成されている。基板部２９の中心軸上には、バッテリーポスト１０３が挿入されるバッテリーポスト挿入穴３２が形成されている。基板部２９の左右両端部には、バッテリーターミナル本体２とのズレを規制するためのズレ止め部３３、３３が形成されている。基板部２９の後部には、バッテリーターミナル本体２の下壁２３、２３に対応する溝状の逃がし３４が形成されている。
【００４１】
バッテリーポスト挿入穴３２は、バッテリーターミナル本体２のバッテリーポスト挿入穴１６の形状に合わせて形成されている。本形態においては、段付き形状に形成されている。引用符号３５はバッテリーポスト挿入穴１６に対する受け面を示している。ズレ止め部３３、３３は、バッテリーターミナル本体２の両側部に対面するように形成されている。本形態においては、三角形の突起形状に形成されている。ズレ止め部３３、３３には、左右方向に平行な面を有するリブ３６、３６が形成されている。そのリブ３６、３６は、バッテリーターミナル本体２の両側部に形成される溝３７、３７に差し込まれるようになっている。
【００４２】
第一フック部３０、３０は、基板部２９の後端に起立連成されている。また、第一フック部３０、３０は、所定の間隔を開けて、具体的にはバッテリーターミナル本体２の電線接続部９に形成される嵌合用スペース３８、３８の配置に合わせて形成されている。第一フック部３０、３０は、嵌合用スペース３８、３８に差し込まれて引っ掛かる爪部３９、３９を有している。
【００４３】
第二フック部３１は、基板部２９の前端に連成されている。また、第二フック部３１は、弾性を有しており、板部材をＵ字状に曲げたような形状に形成されている。さらに、第二フック部３１は、第一フック部３０、３０が電線接続部９の嵌合用スペース３８、３８に引っ掛かった状態で締め付け部６、６の曲面４０、４０へ引っ掛かるように形成されている。第二フック部３１は、その先端となる自由端部４１が曲面４０、４０を滑って拡開し、そして、自由端部４１が曲面４０、４０を乗り越えると引っ掛けが完了するように形成されている。
【００４４】
自由端部４１は、曲面を有するように丸められたＲ形状に形成されている。自由端部４１は、バッテリーターミナル本体２に対して一番最初に当接する部分が曲面４０、４０となるように形成されている（曲面４０、４０に対する乗り越えを容易に行うためである。仮に一番最初に当接する部分が締め付け部６、６の下面であれば、その下面によって自由端部４１が基板部２９に向けて潰れ、上記の乗り越えが起こり難い状態になり易いからである）。
【００４５】
図７において、バッテリーターミナル本体２は、バッテリーポスト挿入穴１２、１６の中心軸と曲面４０、４０の中心位置Ｃ１との距離Ｌ１が１５．５ｍｍ、バッテリーターミナル本体２の最下面（バッテリーポスト挿入穴１６）と曲面４０、４０の中心位置Ｃ１との距離Ｌ２が７．４ｍｍ、曲面４０、４０の内側の曲率Ｒ１が３．４ｍｍ、外側の曲率Ｒ２が５．０ｍｍとなるように形成されている。
【００４６】
これに対して防食カバー３は、バッテリーポスト挿入穴３２の中心軸と第二フック部３１の中心位置Ｃ２との距離Ｌ３が１５．０ｍｍ、バッテリーポスト挿入穴３２の受け面３５と第二フック部３１の中心位置Ｃ２との距離Ｌ４が７．０ｍｍ、第二フック部３１の内側上方の曲率Ｒ３が５．４ｍｍ、第二フック部３１の内側下方の曲率Ｒ４が５．０ｍｍとなるように形成されている。
【００４７】
第二フック部３１は、このような寸法関係により、取り付け時に若干弾性変形して締め付け部６、６の曲面４０、４０に引っ掛かるようになっている。また、このような寸法関係により、防食カバー３は、バッテリーターミナル本体２に対してよりよく密着するようになっている。尚、上記の寸法は一例であるものとする。
【００４８】
防食カバー３は、自由端部４１の位置が第二フック部３１の中心位置Ｃ２の直上となるように形成されている。このような位置関係により、第二フック部３１は締め付け間隙１８を完全に覆わないようになっている（締め付け状態の確認が可能）。
【００４９】
次に、上記構成に基づき、防食カバー３のバッテリーターミナル本体２に対する取り付けを説明する。取り付けは、第一〜第三工程を経ることにより完了する。
【００５０】
図８において、第一工程では、防食カバー３の第一フック部３０、３０をバッテリーターミナル本体２の嵌合用スペース３８、３８（斜線部分が嵌合用スペース）に引っ掛ける作業を行う。防食カバー３は、図示のように第二フック部３１が斜め下になるような状態でバッテリーターミナル本体２の電線接続部９側から近づけられる。第一フック部３０、３０が嵌合用スペース３８、３８に引っ掛かると第二工程へ移行する。
【００５１】
図９において、第二工程では、第一フック部３０、３０が嵌合用スペース３８、３８に引っ掛かった状態で防食カバー３をバッテリーターミナル本体２に近づけるように回転させる作業を行う。この時、ズレ止め部３３、３３のリブ３６、３６がバッテリーターミナル本体２の両側部に形成される溝３７、３７に差し込まれるように作業する。第二工程から第三工程へは、連続するように移行する。
【００５２】
図１０において、第三工程では、曲面４０、４０に当接した第二フック部３１の自由端部４１を滑らせながら第二フック部３１自身を拡開させる作業を行うとともに、曲面４０、４０を乗り越えさせて引っ掛ける作業を行う。第二フック部３１が曲面４０、４０に引っ掛かると、一連の取り付け作業が完了する。第二フック部３１の引っ掛かりにより生じる力は、各部に作用する。防食カバー３は、バッテリーターミナル本体２に対して密着するように取り付けられる。
【００５３】
続いて、バッテリーターミナル１のバッテリーポスト１０３に対する取り付け固定（接続）を説明する。
【００５４】
先ず、バッテリーターミナル１を下方向に移動させてバッテリーポスト挿入穴１２、１６をバッテリーポスト１０３の周側面に接触させる。次に、バッテリーターミナル１の向きを所定方向に合わせて配置する。続いて、バッテリーターミナル１の横方向からインパクトレンチ等の図示しない工具を用いてナット２０を締め付ける。これにより、バッテリーポスト挿入穴１２、１６が縮径方向に縮み、そのバッテリーポスト挿入穴１２、１６がバッテリーポスト２の周側面に対して圧接状態となって、バッテリーターミナル１の取り付けが完了する。
【００５５】
以上、図１ないし図１０を参照しながら説明してきたように、本発明のバッテリーターミナル１は、第一フック部３０、３０及び第二フック部３１を有する防食カバー３をバッテリーターミナル本体２へ取り付けする構造であることから、従来例と異なり、締め付け部６、６を近接させるための締め付けボルト１９を差し込まなくてもバッテリーターミナル本体２に対して作業性良く取り付けすることができる。また、本発明のバッテリーターミナル１は、防食カバー３が上記構造であることから、従来例と異なり、バッテリーポスト１０３への取り付けに信頼性を持たせることができる。さらに、本発明のバッテリーターミナル１は、防食カバー３が上記構造であることから、従来例と異なり、防食カバー３を破損させないようにすることができる。
【００５６】
その他、本発明は本発明の主旨を変えない範囲で種々変更実施可能なことは勿論である。
【００５７】
尚、上述の説明は、横方向から締め付けボルト１９を締め付けることにより締め付け部６、６を近接させるタイプのバッテリーターミナル本体２を例に挙げたが、これに限らず、上方向から締め付けボルトを締め付け、その締め付け力を横方向に変換して、締め付け部を近接させるタイプのバッテリーターミナル本体にも適用することが可能であるものとする。上述の説明の防食カバー３は、曲面を有する締め付け部があれば取り付けすることが可能になるからである。
【図面の簡単な説明】
【００５８】
【図１】本発明によるバッテリーターミナルの一実施の形態を示す斜視図（前方から見た斜視図）である。
【図２】図１のバッテリーターミナルを後方から見た斜視図である。
【図３】バッテリーターミナル本体を後方から見た斜視図である。
【図４】バッテリーターミナル本体を後方かつ下方から見た斜視図である。
【図５】防食カバーを前方から見た斜視図である。
【図６】防食カバーを後方から見た斜視図である。
【図７】中心位置の違いについての説明図であり、（ａ）はバッテリーターミナル本体の側面図、（ｂ）は防食カバーの断面図である。
【図８】バッテリーターミナル本体に防食カバーを取り付ける第一工程の説明図であり、（ａ）は側面図、（ｂ）は嵌合用スペースの位置説明図である。
【図９】バッテリーターミナル本体に防食カバーを取り付ける第二工程の説明図である。
【図１０】バッテリーターミナル本体に防食カバーを取り付ける第三工程の説明図である。
【図１１】従来例のバッテリーターミナルの分解斜視図である。
【図１２】図１１のバッテリーターミナルの取り付け説明図であり、（ａ）は締め付け開始時の図、（ｂ）は締め付け完了時の図である。
【符号の説明】
【００５９】
１  バッテリーターミナル
２  バッテリーターミナル本体
３  防食カバー
４、５  環状部
６  締め付け部
７、８  接合板
９  電線接続部
１０  端子固定ボルト
１１  上基板
１２  バッテリーポスト挿入穴
１３  係合部
１４  一部分断された部分
１５  下基板
１６  バッテリーポスト挿入穴
１７  係合部
１８  締め付け間隙
１９  締め付けボルト
２０  ナット
２１  接触板部
２２  側壁
２３  下壁
２４  ボルト挿通孔
２５  矩形平板部
２６  側壁
２７  頭部
２８  頭部回転規制部
２９  基板部
３０  第一フック部
３１  第二フック部
３２  バッテリーポスト挿入穴
３３  ズレ止め部
３４  逃がし
３５  受け面
３６  リブ
３７  溝
３８  嵌合用スペース
３９  爪部
４０  曲面
４１  自由端部
Ｃ１、Ｃ２  中心位置
【図１】
2005093393.tif 000003
【図２】
2005093393.tif 000004
【図３】
2005093393.tif 000005
【図４】
2005093393.tif 000006
【図５】
2005093393.tif 000007
【図６】
2005093393.tif 000008
【図７】
2005093393.tif 000009
【図８】
2005093393.tif 000010
【図９】
2005093393.tif 000011
【図１０】
2005093393.tif 000012
【図１１】
2005093393.tif 000013
【図１２】
2005093393.tif 000014